(57)【特許請求の範囲】
【請求項１】
下方が開口する断面略Ｃ字状の溝部を長手通しに有すると共に、溝部の開口部両側に水平リップ部を対向して設ける手摺笠木と、この手摺笠木の溝部内に摺動可能に挿入される連結部材と、この連結部材の下面に角度調節可能に当接される支持片を有するブラケットとを具備し、
上記連結部材は、少なくとも一方の端部に、上記連結部材を下方から上方に向かって突出する押しねじが螺合可能なねじ孔を設け、
上記支持片は、上部両側面に上記手摺笠木の水平リップ部上面に当接可能な係止軸を突設し、
上記手摺笠木の溝部内に、上記連結部材と支持片とを当接配置した状態で、連結部材に設けられた上記ねじ孔に上記押しねじを螺合して手摺笠木の溝部内面に押しねじを押圧すると共に、手摺笠木の水平リップ部と支持片の係止軸とを押圧することによって手摺笠木とブラケットを角度調節可能に固定する、ことを特徴とする手摺の角度調節構造。
【請求項２】
請求項１記載の手摺の角度調節構造において、
上記連結部材の下面とブラケットの支持片の頂部上面における一方の面に、略円弧状の凹部又は凸部を形成し、他方の面には、上記凹部又は凸部に摺動可能に当接係合する略円弧状の凸部又は凹部を形成してなる、ことを特徴とする手摺の角度調節構造。
【発明の詳細な説明】
【０００１】
【発明の属する技術分野】
この発明は、手摺の取付構造に関するものであって、更に詳細には、手摺の角度調整可能な取付構造に関するものである。
【０００２】
【従来の技術】
一般に、建物の玄関アプローチ等の階段・傾斜路では、手摺の取付け基準となる路面が階段やスロープのように傾斜角度等の形態が様々であるため、支柱上端と手摺笠木との取付部位において角度や高さ調整を行う必要がある。
【０００３】
従来この種の手摺の取付構造としては、例えば特公昭５６−４８６６３号公報や特許第２５７６９６５号公報に開示されているものが知られている。特公昭５６−４８６６３号公報に開示されている手摺の取付構造は、手摺保持部材が手摺部材の溝部の形状に合わせた断面鞍形の棒状体からなり、この棒状体の中央に長溝孔を穿設して、この長溝孔内に連結杆の上端部を嵌合して適宜止めピンにより枢着係合し、連結杆に対して手摺保持部材を傾動自在に構成されている。また、手摺保持部材は止めねじにより手摺部材に押しつけるように係止されている。
【０００４】
このように構成される手摺の取付構造によれば、手摺保持部材の溝部に挿入された手摺保持部材と連結杆の上端部が適宜止めピンによって枢着係合されているので、手摺部材と連結杆の角度調節をすることができる。
【０００５】
また、特許第２５７６９６５号公報に開示されている手摺の取付構造は、中空状の笠木の下部に長手方向に沿ってスリットを形成し、この笠木を固定するために、支柱の上端部に上記スリットに挿通されるスリット挿通部と、上記笠木の中空部に位置する長尺の支持部材を一体に有するブラケットを設け、支持部材の長手方向中央部に、スリットの両側上縁部に当接され、笠木の揺動支点となる支点部を形成すると共に、支持部材の長手方向両端部に、笠木の中空部の天井部に当接されて笠木を角度調節可能に固定する調整ねじを設ける構造になっている。
【０００６】
このように構成される手摺の取付構造によれば、ブラケットの支持部材の長手方向中央部に、笠木の下部に長手方向に沿って形成されたスリットの両側上縁部に当接して笠木の揺動支点となる支点部が形成されているため、その揺動可能な範囲で笠木の角度調整が可能であり、支持部材の長手方向両端部に設けた調節ねじを笠木の中空部の天井部に当接させて突っ張らせることにより支柱の上端部に笠木を角度調節可能に固定することができる。
【０００７】
【発明が解決しようとする課題】
しかしながら、前者すなわち特公昭５６−４８６６３号公報に記載の手摺の取付構造においては、保持部材と連結杆とを保持部材に穿設された長溝孔内に連結杆の上端部を嵌合して、適宜枢着ピンによって回転可能に連結されている構造であるため、保持部材と連結杆の強固な固定ができないと共に、保持部材に長溝孔を穿設する加工や、保持部材と連結杆の組み立て作業に手間がかかるという問題がある。また、手摺笠木と保持部材を固定するために、保持部材の両端部を止めねじで締め付ける必要があるため、手摺の傾斜状態において締結作業が面倒であるという問題がある。
【０００８】
また、後者すなわち特許第２５７６９６５号公報に記載の手摺の取付構造においては、ブラケットのスリット挿通部と支持部材が一体に形成されているため、手摺の角度調節範囲が狭くなるという問題がある。また、支持部材の両端部に形成された調整ねじの締め付け加減によって手摺の取付け角度が決定するため、両方の調節ねじを調節して締め付ける必要があり、角度調節に手間がかかると共に、手摺の傾斜状態において調節ねじの締結作業が面倒であるという問題がある。
【０００９】
この発明は、上記事情に鑑みなされたもので、手摺の組み立て作業を容易にすると共に、手摺の角度調節及び取付作業を容易に行えるようにした手摺の角度調節構造を提供することを目的とするものである。
【００１０】
【課題を解決するための手段】
上記目的を達成するために、請求項１記載の発明は、下方が開口する断面略Ｃ字状の溝部を長手通しに有すると共に、溝部の開口部両側に水平リップ部を対向して設ける手摺笠木と、この手摺笠木の溝部内に摺動可能に挿入される連結部材と、この連結部材の下面に角度調節可能に当接される支持片を有するブラケットとを具備し、  上記連結部材は、少なくとも一方の端部に、上記連結部材を下方から上方に向かって突出する押しねじが螺合可能なねじ孔を設け、  上記支持片は、上部両側面に上記手摺笠木の水平リップ部上面に当接可能な係止軸を突設し、  上記手摺笠木の溝部内に、上記連結部材と支持片とを当接配置した状態で、連結部材に設けられた上記ねじ孔に上記押しねじを螺合して手摺笠木の溝部内面に押しねじを押圧すると共に、手摺笠木の水平リップ部と支持片の係止軸とを押圧することによって手摺笠木とブラケットを角度調節可能に固定する、ことを特徴とする。
【００１１】
このように構成することにより、手摺笠木の溝部内に連結部材と支持片とを当接配置した状態において、手摺笠木とブラケットの角度調節を行うことができる。また、連結部材の少なくとも一端部の押しねじを締め付けることにより、押しねじの先端部と手摺笠木の溝部の上面部が押圧されると共に、連結部材と支持片の当接部も押圧され、支持片の両側面に突設された係止軸と手摺笠木の水平リップ部上面とが係合当接するので、手摺とブラケットの角度調節を容易に行えると共に、容易に取付固定することができる。また、連結部材の押しねじは少なくとも一方を締結すればよいので、手摺笠木の取付け角度の勾配が大きい場合でも、容易に手摺笠木とブラケットを角度調節可能に固定することができる。
【００１２】
請求項２記載の発明は、請求項１記載の手摺の取付構造において、上記連結部材の下面とブラケットの支持片の頂部上面における一方の面に、略円弧状の凹部又は凸部を形成し、他方の面には、上記凹部又は凸部に摺動可能に当接係合する略円弧状の凸部又は凹部を形成してなる、ことを特徴とする。
【００１３】
このように構成することにより、連結部材の下面に形成された略円弧状の凹部又は凸部と、ブラケットの支持片の頂部上面に形成された略円弧状の凸部又は凹部とを摺動可能に当接係合するので、連結部材とブラケットの組立作業を容易にすることができると共に、連結部材とブラケットの角度調節を容易に行うことができる。また、連結部材とブラケットが別体であるので、連結部材とブラケットの角度調節範囲を広くすることができる。
【００１４】
【発明の実施の形態】
以下に、この発明の手摺の角度調節構造について、添付図面に基づいて詳細に説明する。
【００１５】
◎第一実施形態
図１は、この発明の手摺の角度調節構造の第一実施形態の一部を断面で示す全体斜視図、図２は、手摺笠木、連結部材及びブラケットを示す分解斜視図、図３は、手摺の角度調節構造を示す断面図、図４は、手摺を傾斜状態に取付けた場合を示す断面図である。
【００１６】
上記手摺Ｈは、図１に示すように、下方が開口する断面略Ｃ字状の溝部１２を長手通しに形成する手摺笠木１と、この手摺笠木１の溝部１２内に摺動可能に挿入される連結部材３と、この連結部材３の下面に角度調節可能に当接される支持片４０を有するブラケット４とで主に構成されている。
【００１７】
上記手摺笠木１は、図１及び図２に示すように、上記連結部材３が挿入される笠木受け１０と、この笠木受け１０の外周に嵌合される笠木本体２０とで構成されている。
【００１８】
上記笠木受け１０は、例えばアルミニウム合金製押出形材にて形成されており、矩形状の溝部１２と、この溝部１２の全長に渡って連通する下方に開口する開口部１３とを具備する断面略中空矩形状に形成されている。この場合、溝部１２の対向する両側片１９の下端部に、開口部１３の内方に向かって突出する水平リップ部１４が笠木受け１０の長手方向に沿って延在して形成されている。また、両側片１９の上端及び下端に延在する取付片１５の角部に円弧状部１６が形成されている。また、溝部１２を構成する上片１７には、下方すなわち溝部１２の内面側に開口する凹条１８が形成されており、この凹条１８の底面（図において上方面）に後述する押しねじ３２の先端部が当接係合し得るようになっている。
【００１９】
上記笠木本体２０は、例えば耐候性を有する合成樹脂製材料で形成されており、図１及び図２に示すように、下方に開口部１３を有する断面略Ｃ字状に形成されている。この場合、開口部１３の対向する縁部には、笠木受け１０の取付片１５に係合可能な係合片２１が突設されている。
【００２０】
上記連結部材３は、図１、図２及び図３に示すように、上記笠木受け１０の溝部１２内に挿入可能な略矩形ブロック体に形成されている。この連結部材３の略中央下部に、下方に開口する略円弧状の凹部３０が形成されると共に、連結部材３の長手方向の両端部には、連結部材３の上下を貫通するねじ孔３１ａ，３１ｂが刻設されている。この場合、ねじ孔３１ａ，３１ｂには下方から上方へ向かって突出するように押しねじ３２ａ，３２ｂが螺合されている。
【００２１】
上記ブラケット４の支持片４０は、図１及び図２に示すように、上記連結部材３と略同等の幅に形成され、上端には、連結部材３の略円弧状の凹部３０に摺動可能かつ当接係合可能な略円弧状の凸部４１が形成されている。また、支持片４０の下端から下方に向かって拡幅するようにテーパー部が設けられ、このテーパー部の下端から下方に延在し、階段又は傾斜路等に設置された取付用支柱Ｐに取付可能な支持基部４４が形成されている（図１参照）。また、支持片４０の両側面４２には、笠木受け１０の両側片１９に向かって突出し、笠木受け１０の水平リップ部１４上面に当接可能な係止軸４３が形成されている。この場合、係止軸４３は水平リップ部１４に対して回動可能な円柱状に形成されている。
【００２２】
なお、この場合、上記連結部材３及び上記支持片４０は例えばアルミダイキャストにて形成されている。
【００２３】
このように、連結部材３の略中央下部に略円弧状の凹部３０を形成し、支持片４０の上端に連結部材３の凹部３０に摺動及び当接係合可能な略円弧状の凸部４１を形成することにより、連結部材３と支持片４０との角度調節を容易にすることができる。この状態で連結部材３及び支持片４０を手摺笠木１の溝部１２に挿入し、支持片４０の係止軸４３と笠木受け１０の水平リップ部１４を係合させ、連結部材３の押しねじ３２ａ，３２ｂをねじ込むことにより、押しねじ３２ａ，３２ｂの先端部が溝部１２の上片１７を押圧し、これにより連結部材３が下方に押圧されると共に、支持片４０も下方に押圧され、支持片４０の係止軸４３が笠木受け１０の水平リップ部１４に当接されると共に押圧される。
【００２４】
したがって、押しねじ３２ａ，３２ｂの先端部と溝部１２の上片１７、支持片４０の両係止軸４３と水平リップ部１４の４点を押圧することができるので、手摺笠木１とブラケット４を角度調節可能に強固に固定することができる（図３参照）。また、この場合、手摺笠木１は支持片４０に対して、図３の二点鎖線で示す範囲で、角度調節可能であるので、勾配の大きな傾斜路等においても容易に手摺笠木１を取り付けることができる。
【００２５】
なお、上記説明では、連結部材３の押しねじ３２ａ，３２ｂの先端部と溝部１２の上片１７、支持片４０の両係止軸４３と水平リップ部１４の４点を押圧して手摺を固定する場合を説明したが、必ずしも２つの押しねじ３２ａ，３２ｂを螺合させる必要はない。例えば、図４に示すように、いずれか一方のねじ孔３１に押しねじ３２を螺合させ、押しねじ３２の先端部を溝部１２の上片１７に押圧することにより、連結部材３と支持片４０の当接部が支点となり、押しねじ３２の取り付けられていない連結部材３の他端も溝部１２の上片１７に押圧されるので、２つの押しねじ３２ａ，３２ｂを螺合した場合と同様に、４点で手摺笠木１とブラケットを固定することができる。したがって、手摺笠木１の取付角度の勾配が大きい場合でも、鈍角側の押しねじ３２だけを締め付ければよいので、手摺笠木１の取付固定作業を容易に行うことができる。
【００２６】
上記のように構成された手摺Ｈを、階段及び傾斜路等に取り付けるには、まず、予め、工場又は施工現場において、笠木受け１０と笠木本体２０を組付けた状態にしておく。次に、連結部材３と支持片４０を、それぞれの凹部３０と凸部４１が当接係合された状態で、笠木受け１０の溝部１２に笠木受け１０の端部から挿入し、支持片４０の係止軸４３と笠木受け１０の水平リップ部１４が当接した状態にしておく。
【００２７】
この状態で、傾斜路等に予め設置された取付用支柱Ｐに支持片４０の支持基部４４を取り付けて仮止めしておく。
【００２８】
ここで、傾斜路等の勾配に合わせて、支持片４０と手摺笠木１の角度調節を行い、手摺笠木１の開口部１３から連結部材３に穿設されたねじ孔３１の少なくともいずれか一方に押しねじ３２を螺合させると共に、締め付けて、押しねじ３２の先端部で溝部１２の上片１７を押圧する。
【００２９】
このように押しねじ３２の先端部で溝部１２の上片１７を押圧することにより、連結部材３が下方に移動して、連結部材３が支持片４０との当接係合部を押圧すると共に、支持片４０の係止軸４３と笠木受け１０の水平リップ部１４の当接が強固になるので、手摺笠木１と支持片４０を傾斜した状態で固定することができる。なお、この場合、更に固定を強固にしたい場合は、押しねじ３２ａ，３２ｂを両方のねじ孔３１ａ，３１ｂに螺合すればよい。
【００３０】
このように手摺笠木１と支持片４０の傾斜状態を固定した後に、取付用支柱Ｐに対して支持片４０の高さ調節を行い、取付用支柱Ｐに支持片４０の支持基部４４を固定することができる。なお、支持片４０と取付用支柱Ｐとの高さ調節は、手摺笠木１と支持片４０の角度調節時と同時に行ってもよく、手摺笠木１の取付角度と取付高さを調節しながらそれぞれを仮締めし、最終的に増し締めして固定すればよい。
【００３１】
上記のようにして、手摺Ｈを組立てることができるので、階段や傾斜路等における傾斜した場所への手摺Ｈの取付作業を容易にすることができる。
【００３２】
なお、上記説明では、連結部材３が略矩形ブロック体にて形成される場合について説明したが、別の形状にしてもよい。すなわち、図５及び図６に示すように、笠木受け１０の溝部１２に沿って長手方向に延在する上面板３３と、この上面板３３の両側辺から下方に垂下される一対の垂下片３４とからなる下方が開口する例えばスチール板をプレス等によって折曲加工したチャンネル状の連結部材３Ａとしてもよい。このように構成される連結部材３Ａの上面板３３の両端部には、バーリング加工によって形成された孔開け部ねじ溝を刻設したねじ孔３５が設けられている。また、両垂下片３４の略中央部には、支持片４０の上端に形成された略円弧状の凸部４１に当接係合可能な略円弧状の凹部３６が形成されている。
【００３３】
上記のように構成される連結部材３Ａを使用して手摺Ｈを取付ける場合も、上述した場合と同様に、連結部材３Ａの少なくとも一方のねじ孔３５に押しねじ３２を螺合することによって、手摺笠木１とブラケット４を容易に取付固定することができる（図６参照）。
【００３４】
上記のように連結部材３Ａをチャンネル材によって形成することにより、構成部材の軽量化を図ることができると共に、材料費の軽減を図ることができる。
【００３５】
また、上記説明では、図１ないし図６に示すように、連結部材３に略円弧状の凹部３０を形成し、支持片４０には、この凹部３０と摺動可能に当接係合する略円弧状の凸部４１を形成した構造について説明したが、凹部３０及び凸部４１の配置を逆にしてもよい。すなわち、図７に示すように、連結部材３Ｂの略中央下部に下方に突出する略円弧状の凸部５０を形成し、ブラケット４の支持片４０Ａの上端には、この凸部５０に摺動及び当接係合可能な略円弧状の凹部６０を形成してもよい。
【００３６】
このように、連結部材３Ｂに略円弧状の凸部５０を形成し、ブラケット４の支持片４０Ａには、凸部５０に摺動及び当接係合可能な略円弧状の凹部６０を形成した場合でも、連結部材３に略円弧状の凹部３０を形成し、支持片４０に略円弧状の凸部４１を形成した場合と同様に、手摺笠木１とブラケット４の角度調節を行うことができると共に、押しねじを締め付けることによって、取付固定することができる。
【００３７】
◎第二実施形態
第二実施形態は、手摺笠木をブラケットを介して、建物等の壁部に直接取付ける場合に適用した場合である。
【００３８】
第二実施形態の手摺Ｈは、図８に示すように、建物等に予め設置されたアンカーボルトＢ等に、略クランク状のブラケット４Ａを取り付け、このブラケット４Ａに形成される支持片４０の上端に第一実施形態と同様に連結部材３及び手摺笠木１を固定するものである。
【００３９】
この場合、上記ブラケット４Ａの支持片４０は、図８に示すように、連結部材３と略同等の幅に形成され、上端には連結部材３の略円弧状の凹部３０に摺動可能かつ当接係合可能な略円弧状の凸部４１が形成されている。また、支持片４０の下端から下方に向かって拡幅するようにテーパー部を設け、このテーパー部の下端から下方に延在する支持基部４４と、この支持基部４４の下端から壁面７に向かって折曲される水平支持片４５と、この水平支持片４５の端部から下方に向かって折曲され、壁面７に当接するように延在する固定片４６とを具備する略クランク状に形成されている。また、支持片４０の両側面４２には、笠木受け１０の両側片１９に向かって突出し、笠木受け１０の水平リップ部１４上面に当接可能な係止軸４３が形成されている。この場合、係止軸４３は水平リップ部１４に対して回動可能な円柱状に形成されている。また、上記固定片４６の略中央部には、壁面７に予め設置されたアンカーボルトＢを挿入する挿通孔（図示せず）が穿設されるている。
【００４０】
上記のように構成される手摺Ｈを、階段及び傾斜路等の壁面７に取り付けるには、上記第一実施形態と同様に、予め、工場又は施工現場において、笠木受け１０と笠木本体２０を組付けた状態にしておく。次に、連結部材３と支持片４０Ａを、それぞれの凹部３０と凸部４１が当接係合された状態で、笠木受け１０の溝部１２に笠木受け１０の端部から挿入し、支持片４０の係止軸４３と笠木受け１０の水平リップ部１４が当接した状態にしておく。
【００４１】
この状態で、傾斜路等の壁面７に予め設置されたアンカーボルトＢを、ブラケット４の固定片４６に穿設された挿通孔（図示せず）に貫挿し、先端部をナットＮによって締め付けて固定する。
【００４２】
このようにブラケット４Ａを壁面７に固定した後、傾斜路等の勾配に合わせて、ブラケット４Ａと手摺笠木１の角度調節を行い、手摺笠木１の開口部１３から連結部材３に穿設されたねじ孔３１の少なくともいずれか一方に押しねじ３２を螺合させると共に、締め付けて、押しねじ３２の先端部で溝部１２の上片１７を押圧する。
【００４３】
このように押しねじ３２の先端部で溝部１２の上片１７を押圧することにより、連結部材３が下方に移動して、連結部材３が支持片４０との当接係合部を押圧すると共に、支持片４０の係止軸４３と笠木受け１０の水平リップ部１４の当接が強固になるので、手摺笠木１とブラケット４Ａを傾斜した状態で固定することができる。なお、この場合、更に固定を強固にしたい場合は、押しねじ３２ａ，３２ｂを両方のねじ孔３１ａ，３１ｂに螺合すればよい。
【００４４】
したがって、上記のように手摺Ｈを構成するので、階段及び傾斜路等の傾斜した場所の壁面に手摺Ｈを取り付ける場合でも、第一実施形態と同様に手摺の取付作業を容易にすることができる。
【００４５】
なお、第二実施形態においても、第一実施形態と同様に、上述したブラケット４における連結部材３とブラケット４Ａとの連結部分を、連結部材３の略中央下部に下方に突出する略円弧状の凸部５０を形成し、この凸部５０に摺動及び当接係合可能に支持片４０の上端に略円弧状の凹部６０を形成してもよい（図７参照）。
【００４６】
なお、第二実施形態においては、上記ブラケット４Ａを、第一実施形態の取付用支柱Ｐに取付ける形態に代えて、略クランク状に折曲加工した以外は、手摺笠木１及び連結部材３の構造は第一実施形態と同じであるので、同一部分には同一符号を付して、説明は省略する。
【００４７】
【発明の効果】
以上に説明したように、この発明の手摺の角度調節構造は、上記のように構成されているので、以下のような優れた効果が得られる。
【００４８】
（１）請求項１記載の発明によれば、手摺笠木の溝部内に連結部材と支持片とを当接配置した状態において、手摺笠木とブラケットの角度調節を行うことができ、連結部材の少なくとも一端部の押しねじを締め付けることにより、押しねじの先端部と手摺笠木の溝部の上面部が押圧されると共に、連結部材と支持片の当接部も押圧され、支持片の両側面に突設された係止軸と手摺笠木の水平リップ部上面とが当接するので、手摺とブラケットの角度調節を容易に行えると共に、容易に取付固定することができる。また、連結部材の押しねじは少なくとも一方を締結すればよいので、手摺笠木の取付け角度の勾配が大きい場合でも、容易に手摺笠木とブラケットを角度調節可能に固定することができる。
【００４９】
（２）請求項２記載の発明によれば、連結部材の下面に形成された略円弧状の凹部又は凸部と、ブラケットの支持片の頂部上面に形成された略円弧状の凸部又は凹部とを摺動可能に当接係合するので、連結部材とブラケットの組立作業を容易にすることができると共に、連結部材とブラケットの角度調節を容易に行うことができる。また、連結部材とブラケットが別体であるので、連結部材とブラケットの角度調節範囲を広くすることができる。
【図面の簡単な説明】
【図１】この発明の手摺の角度調節構造の第一実施形態の一部を断面で示す全体斜視図である。
【図２】第一次実施形態における手摺笠木、連結部材及びブラケットを示す分解斜視図である。
【図３】第一実施形態の取付状態を示す断面図である。
【図４】上記連結部材の一端部に押しねじを締め付けて取付けた場合の断面図である。
【図５】この発明における連結部材の変形例を示す斜視図である。
【図６】上記連結部材の一端部に押しねじを締め付けて取付けた場合の断面図である。
【図７】この発明における連結部材及びブラケットの変形例を示す断面図である。
【図８】この発明の手摺の角度調節構造手摺の第二実施形態の取付状態を示す概略斜視図である。
【符号の説明】
１  手摺笠木
３，３Ａ，３Ｂ  連結部材
４  ブラケット
１２  溝部
１３  開口部
１４  水平リップ部
３０  凹部
３１ａ，３１ｂ  ねじ孔
３２ａ，３２ｂ  押しねじ
４０，４０Ａ  支持片
４１  凸部
４２  両側面
４３  係止軸
５０  凸部
６０  凹部
【図１】
0003865370.tif 000002
【図２】
0003865370.tif 000003
【図３】
0003865370.tif 000004
【図４】
0003865370.tif 000005
【図５】
0003865370.tif 000006
【図６】
0003865370.tif 000007
【図７】
0003865370.tif 000008
【図８】
0003865370.tif 000009